(57)【特許請求の範囲】
【請求項１】
空気を押し出すことで機密を形成するための吸盤の凹部に連通した空気通し孔を有する第一面と、外気に開放する他の空気通し孔を有し第一面と面接触する第二面を有し、第一面と第二面の各々の空気通し孔は、気密状態においては、第一面と第二面との接触面上において、気密的接触距離を有して離れて形成されていて、そのことで、第一面と第二面の各々の空気通し孔が重なる位置まで第一面と第二面が相互に回転又はスライドしてはじめて外気に開放し気密状態が解除され前記吸盤を解除することを可能としたことを特徴とする解除機能付吸盤。
【請求項２】
第一面及び第二面が、円筒部の内側とこれに内挿された円柱部の側面で曲面接触するものであって、互いに移動可能であることを特徴とする請求項１記載の解除機能付吸盤。
【請求項３】
前記円筒部と前記円柱部が前記吸盤の前記凹部とは反対側に横臥状態で備えてあり、前記円柱部にこれを回転又は移動させるハンドルを備えることで前記ハンドルの操作で非解除と解除が切り替わることを可能としたことを特徴とする請求項２に記載の解除機能付吸盤。
【請求項４】
前記ハンドルを手又は足に付けて立ち状態の壁に登攀又は下降又は留まることに使用するための請求項３記載の解除機能付吸盤を用いたことを特徴とする人体固定具。
【発明の詳細な説明】
【技術分野】
【０００１】
本発明は、吸引状態を解除する場合に引き剥がす力を要しないために、気密状態から吸盤にエアをリークするリーク状態にする解除機能を有する吸盤とこれを用いた人体固定具に関するものである。
【背景技術】
【０００２】
従来、吸盤は、図５の１−Ａに示すように、ゴムや樹脂などの柔軟性のある素材で構成され、通常の状態では、凹部には空気が存在する。使用状態では、平坦部に押し付けて空気を押し出すことで、外面に存在する１気圧の空気圧を受けて、面積に依存した吸引力が発生する。吸引力に依存して、ものを支持することが可能となっているのは周知のことであり、家庭、工場ほか多くの施設でものの支持に使われている。このような吸盤は、多くの特許文献にも見出すことができる。更に、従来例においても、本発明と同様に解除機能付吸盤が提案されている。例えば、特許文献１に見ることができる。これは、図５の１−Ｂに示すようなものであって、「吸盤頂部の支持柱６上部から吸盤機密部に達する空気吸入孔３を設け、支持柱内に挿抜摘まみ１と一体をなす閉そく栓２を遊設した吸盤であり、該閉そく栓２を支持柱６上部にて挿抜操作することにより、空気吸入孔３を開閉そくする吸着解除を可能にした吸着解除機能付吸盤」というものである。これは、吸着解除機能を取り付けたものとして画期的であり、吸盤の突起を引き上げる操作上で、取り外しのスペースをとる必要をなくし、吸盤が隠れるような大きいもの、広い面をもつものも装着でき用になったとの記述がある。
然しながら、この提案においても、上記の改善はあったものの、空気吸入孔３に閉そく栓２は嵌り、お互いの押し付けにより機密状態が保持されるためには、互いの間が堅固に押し付けあっていることが必要なので、閉そく栓２の引抜には、大きな力が必要である。また、重いものを装着したり、はずしたり（掛ける、ぶら下げるなど）して使用を行っている時間の経過の中で、支持柱６が動き、空気吸入孔３と閉そく栓２の嵌り位置が動き、挿抜摘まみ１が支持柱６により押し上げられる恐れがあり、気づかないでいるうちに、空気が漏れて吸引状態が解除される心配がある。これは、支持柱６に荷物などの重量物が掛けられ、その加重によるゆがみ、揺れによる加重衝撃により、少しずつ挿抜摘まみ１が押し出され抜けてくるためである。これは、一直線方向に挿抜している構成が有する本源的不都合である。然るに、吸盤は、重量物を長期に支持して、あまり気を使わずに使用するものであるから、いずれトラブルになる可能性を秘めている。
また、特許文献１の提案では、解除機能付吸盤の本当の狙い（目的）に気づいていない。
解除機能付吸盤の狙いは、吸盤サイズが大きいものも作成し使用することが可能となることにある。吸盤サイズが大きいが大きさに比例して重い物を支持できる。理論的には、１気圧の大気中では、平方ｃｍあたり、７６ｇであるので、１０ｃｍ×１０ｃｍでは、７．６ｋｇである。２０ｃｍ×２０ｃｍでは、３０．４ｋｇである。実際の使用においては、余裕をとって、理論より小さな値で使用する。ところで、このような大きな重量物を支持できるにもかかわらず、通常、このような大きな吸盤は作られないし、使用されない。
通常は小さな吸盤を目にすることになる。それは、押し付けて付着状態にすることは容易だが、はずしたり、位置を調整したりと、動かすことが大きな力が必要であり、大きいと使えないからである。従って、解除機能付吸盤の本当の狙いは、解除が容易になり、大きな吸盤までが使用できるようになるということである。
その場合に、上述したように、単なる挿抜手段では、安心した安定な吸着の保持が難しいということである。
【先行技術文献】
【特許文献】
【０００３】
【特許文献１】登録実用新案第３０３１９５６号
【発明の概要】
【発明が解決しようとする課題】
【０００４】
本発明の課題は、小さな力で解除でき、小さい物から大きい物まで提供でき、軽量物から重量物まで対応が可能な解除機能付吸盤を提供することである。
【課題を解決するための手段】
【０００５】
本発明の解除機能付吸盤は、空気を押し出すことで機密を形成するための吸盤の凹部に連通した空気通し孔を有する第一面を機密遮蔽または開放する第二面を有することを特徴とする。以下請求項に沿って述べる。
【０００６】
請求項１記載の発明は、解除機能付吸盤であって、空気を押し出すことで機密を形成するための吸盤の凹部に連通した空気通し孔を有する第一面と、外気に開放する他の空気通し孔を有し第一面と面接触する第二面を有し、第一面と第二面の各々の空気通し孔は、気密状態においては、第一面と第二面との接触面上において、気密的接触距離を有して離れて形成されていて、そのことで、第一面と第二面の各々の空気通し孔が重なる位置まで第一面と第二面が相互に回転又はスライドしてはじめて外気に開放し気密状態が解除され前記吸盤を解除することを可能としたことを特徴とする。
【０００７】
請求項２記載の発明は、請求項１記載の解除機能付吸盤において、第一面及び第二面が、円筒部の内側とこれに内挿された円柱部の側面で曲面接触するものであって、互いに移動可能であることを特徴とする。
【０００８】
請求項３記載の発明は、請求項２に記載の解除機能付吸盤において、前記円筒部と前記円柱部が前記吸盤の前記凹部とは反対側に横臥状態で備えてあり、前記円柱部にこれを回転又は移動させるハンドルを備えることで前記ハンドルの操作で非解除と解除が切り替わることを可能としたことを特徴とする。
【０００９】
請求項４記載の発明は、人体固定具であって、前記ハンドルを手又は足に付けて立ち状態の壁に登攀又は下降又は留まることに使用するための請求項３記載の解除機能付吸盤を用いたことを特徴とする。
【発明の効果】
【００１０】
以上の様に構成されているので、本発明による解除機能付吸盤は、空気吸入孔での空気の閉止構造が挿抜構造によらないので、挿抜構造より小さな力の解除動作で解除でき、さらに、使用時の時間経過中の加重や衝撃にも閉そく栓の緩みによる意図せざる解除の不都合が回避でき、今までより大きなものを提供でき、従って、加重の大きいものに対応することが可能となる。
【図面の簡単な説明】
【００１１】
【図１】本発明の解除機能付吸盤の一実施態様を示す図である。
【図２】本発明の解除機能付吸盤の別の実施態様を示す図である。
【図３】本発明の解除機能付吸盤のさらに別の実施態様と使用状態の例を示す図である。
【図４】本発明の解除機能付吸盤の使用例を示す図である。
【図５】従来の吸盤の例を示す図である。
【発明を実施するための形態】
【００１２】
本発明の解除機能付吸盤は、空気を押し出すことで機密を形成するための吸盤の凹部に連通した空気通し孔を有する第一面を機密遮蔽または開放する第二面を有するものであって、
第二面は、第一面に機密的かつ回転自在に接触し、外気に通じた第二の空気孔を備え、所望の回転をした位置で前記空気通し孔と第二の空気孔が連通することで空気が前記凹部に漏れることで解除を可能とするか、または、第二面は、第一面の前記空気通し孔を覆いふさいでいて、これが持ちあげられることで前記空気通し孔が外気に通じることで空気が前記凹部に漏れることで解除を可能としたことを特徴とする。
以下図に沿って説明する。
【００１３】
図１は、本発明の解除機能付吸盤の一実施態様を示す図である。
第二面が、第一面に機密的かつ回転自在に接触している場合の例である。１−Ａには、
第一面と第二面が平面的に接触しているもので、１−Ｂでは、その断面を示している。
１−Ｃでは、第一面と第二面が円筒の内側面と管に内挿された円柱側面といった曲面的に接触しているものである。
先ず、１−Ａ、１−Ｂのものを説明する。
解除機能付吸盤１００は、空気を押し出すことで機密を形成するための吸盤の凹部１０１を有していて、押すことにより、凹部１０１の空気が押し出されるように変形可能で、また、形状が復元するものであって、特許文献のみならず、世の中で多く使用に供されているので、作られている素材は特に指定するまでもなく知られている。一般には樹脂が使われている。
凹部１０１を形成する吸盤基体１０２の凹部１０１とは反対側には、平面状を呈する第一面１０３があって、そこには、凹部１０１に連通した空気通し孔１０４を有している。
吸盤基体１０２の上には、これと結合部１０５で回転結合をした回転板１０６があって、
回転板１０６の吸盤基体１０２と対向する面は、第二の空気孔１０７を有する第二面１０８を形成している。この例では、回転板１０６には摘まみ１０９があって、これをまわして、回転板１０６を回転すると、空気通し孔１０４と第二の空気孔１０７が重なった位置において、互いに連通して空気が凹部１０１に漏れ、吸盤が解除される。
尚、回転板１０６の上には、ものを吊り下げるための物保持部１１０があるが、これは、回転板１０６とは固定的または回転自在に結合している。
【００１４】
１−Ｄには、１−Ａの変形態を示している。１−Ａでは、回転板１０６が、吸盤基体１０２の略中央にあって、物保持部１１０が回転板１０６と結合していたが、１−Ｄでは、回転板１０６が、吸盤基体１０２の端部にあって、物保持部１１０は、吸盤基体１０２に結合、言い換えると、一体になっている。１−Ｅは、１−Ｄを断面で示している。
【００１５】
１−Ｃにおいて、吸盤の凹部１０１とは反対側には、円筒部１１１を備えてあり、円筒部１１１の内側面と機密的かつ回転自在に嵌めあった円柱部１１２があり、円柱部１１２の底面１１３は、吸盤の凹部１０１に開口または連通していて、円柱部１１２の底から側面に連通した空気通し孔１０４があって、円柱部１１２の側面１１４が第一面１０３となっている。円筒部１１１の内面と外面を連通する第二の空気孔１０７か、または、内面を沿う通路の形態の第二の空気孔１０７によって、円柱部１１２が適当に回転した位置で、第二の空気孔１０７と空気通し孔１０４が連通して、外気が凹部１０１に流入して吸盤が解除される。
【００１６】
図２は、本発明の解除機能付吸盤の別の実施態様を示す図である。
解除機能付吸盤１００は、空気を押し出すことで機密を形成するための吸盤の凹部１０１を有している。凹部１０１を形成する吸盤基体１０２の凹部１０１とは反対側には、平面状を呈する第一面１０３があって、そこには、凹部１０１に連通した空気通し孔１０４を有している。
ここで、第二面となる覆い面を有する係止板２０１が第一面の前記空気通し孔１０４を機密的に覆いふさいでいて、これが持ちあげられることで機密が解除される。摘まみ１０９を倒すと、係止板２０１を内包した吸盤基体１０２の空間２００内で、摘まみ１０９が支点２０２を中心に回転して係止板２０１が持ち上がり、覆い状態が開放されて、外気に接続した外気通路２０３と空気通し孔１０４が連通して機密状態が解除される。
【００１７】
図３は、本発明の解除機能付吸盤のさらに別の実施態様と使用状態の例を示す図である。
円筒部とこれに嵌った円柱部を有する点では、１−Ｃと似通った構造であるが、円筒部と円柱部の配置が吸盤基体上に横臥した状態に配置されているため、摘まみ１０９またはハンドルの回転が、１−Ｃでは、吸盤基体の吸盤面に直角な軸の周りに回転するが、図３では、吸盤面に平行な軸の周りに回転可能になる。そのため、ハンドルが、例えば下側に回すと解除されないが、上に回すと解除されるような動作が可能となり、人手による扱いが容易である。一般に重いものを下げたりしているときは、下に引いているし、人がぶら下がったりしているときも下に引いている。このような場合は、解除側でないことが好都合であり、従って、この状態からリリースするときは、ハンドルを上側に回すまたは引くほうが理にかなっているからである。
３−Ａは斜視図であり、３−Ｂは断面図を示している。両者において、吸盤基体１０２の凹部１０１とは反対側には、円筒部１１１を備えてあり、円筒部１１１の内側面と機密的かつ回転自在に嵌めあった円柱部１１２が横臥状態で備えてあり、円筒部１１１の内側面は、第一面１０３を形成し、第一面１０３には、吸盤の凹部１０１との間に連通する空気通し孔１０４が備えられ、
円柱部１１２の内面と外面を連通する第二の空気孔１０７か、または、内面を沿う通路の形態の第二の空気孔（図示されていない）によって、円柱部１１２が適当に回転した位置で、第二の空気孔１０７と空気通し孔１０４が連通して、外気が凹部１０１に流入して吸盤が解除される。ここで、ハンドル３０１が円柱部１１２に備えられていて、ハンドルを下側に回したときに非解除状態で、上に回した状態で解除状態にすると都合がよい。
尚、回転のみでなく円柱部１１２の横移動によって、第二の空気孔１０７と空気通し孔１０４が連通を可能とすることも可能である。
３−Ｃには、３−Ａの解除機能付吸盤を複数用いて、壁を登る或いは、壁に身体を固定して作業をしている使用例を示している。作業者３１０の手足には、解除機能付吸盤が各々つけられている。作業者は、安全ハーネス３１１をつけて命綱３１２をつけて、命綱３１２の先は、天壁についた解除機能付吸盤に結ばれている。尚、解除機能付吸盤は、作業に限らず、例えば、スポーツとしての体力訓練や競技としての壁登りにも利用することができる。ドラマのスパイダーマンのようにガラス張りのビルに解除機能付吸盤による手がかりを求めて登攀挑戦も現実になる。勿論、万一のため、休むためなど命綱をつけることが薦められる。
【００１８】
図４は、本発明の解除機能付吸盤の使用例を示す図である。４−Ａでは、解除機能付吸盤１００の頂部に支持柱４０１を備えて、これに支持リング４０２を介して綱４０３を張った用途である。工事現場の囲いや、親綱張りなど多くの用途がある。４−Ｂでは、いわゆる物を吊るすフック４０４を有するもの。４−Ｃでは、収納容器４０５を有するもの。
解除機能付吸盤を大きく出来るので、従来より、大型、より重量のある支持が出来る。
【００１９】
尚、第一面、第二面の間に機密保持性と動き容易性を補助する潤滑材やシール材を介挿することも可能である。
【産業上の利用可能性】
【００２０】
以上のように本発明による解除機能付吸盤は、空気吸入孔での空気の閉止構造が挿抜構造によらないので、挿抜構造より小さな力の解除動作で解除でき、さらに、使用時の時間経過中の加重や衝撃にも閉そく栓の緩みによる意図せざる解除の不都合が回避でき、今までより大きなものを提供でき、従って、加重の大きいものに対応することが可能となるので、
産業上の利用性が極めて大きい。
【符号の説明】
【００２１】
１  挿抜摘まみ
２  閉そく栓
３  空気吸入孔
６  支持柱
１００  解除機能付吸盤
１０１  凹部
１０２  吸盤基体
１０３  第一面
１０４  空気通し孔
１０５  結合部
１０６  回転板
１０７  第二の空気孔
１０８  第二面
１０９  摘まみ
１１０  物保持部
１１１  円筒部
１１２  円柱部
１１３  底面
１１４  側面
２００  空間
２０１  係止板
２０２  支点
２０３  外気通路
３０１  ハンドル
３１０  作業者
３１１  安全ハーネス
３１２  命綱
４０１  支持柱
４０２  支持リング
４０３  綱
４０４  フック
４０５  収納容器
以上。
【図１】
0005945875.tif 000002
【図２】
0005945875.tif 000003
【図３】
0005945875.tif 000004
【図４】
0005945875.tif 000005
【図５】
0005945875.tif 000006